(57)【要約】【課題】  ＣＡＴＶに関する情報のユーザへの伝達に関してＣＡＴＶ局側およびユーザ側の負担を軽減できるＣＡＴＶ情報サーバ用プログラムを提供する。【解決手段】  ＣＡＴＶ情報サーバ１に次のステップを実行させるＣＡＴＶ情報サーバ用プログラムである。携帯電話２から受信したＣＡＴＶ情報検索ページのアドレスからＣＡＴＶ情報検索ページを取得するステップ。ＣＡＴＶ情報検索ページに記述の属性ファイルのアドレスから属性ファイルを取得するステップ。ＣＡＴＶ情報検索ページを携帯電話２に送信するステップ。携帯電話２から送信されたＣＡＴＶ情報検索条件を受信するステップ。属性ファイルに記述のＣＡＴＶ局識別情報を読取るステップ。ＣＡＴＶ局識別情報及び携帯電話２から受信したＣＡＴＶ情報検索条件をキーとして検索実行するステップ。ヒットした情報を携帯電話２に送信するステップ。【選択図】          図１
2006074378.tif 000002
【特許請求の範囲】
【請求項１】
ＣＡＴＶ情報を検索する際のユーザインタフェースであるＣＡＴＶ情報検索ページのアドレスを、ネットワークを介して端末から受信するＣＡＴＶ情報サーバに、
前記端末から受信したＣＡＴＶ情報検索ページのアドレスに基づいてＣＡＴＶ情報検索ページを取得するステップと、
前記取得したＣＡＴＶ情報検索ページに記述されている属性ファイルのアドレスに基づいて属性ファイルを取得するステップと、
前記取得したＣＡＴＶ情報検索ページを前記端末に送信するステップと、
前記端末から前記ＣＡＴＶ情報検索ページを介して送信されたＣＡＴＶ情報検索条件を受信するステップと、
前記取得した属性ファイルに記述されているＣＡＴＶ局識別情報を読み取るステップと、
前記読み取ったＣＡＴＶ局識別情報および前記端末から受信したＣＡＴＶ情報検索条件をキーとして検索を実行するステップと、
前記検索でヒットした情報を前記端末に送信するステップと、
を実行させることを特徴とするＣＡＴＶ情報サーバ用プログラム。
【請求項２】
ＣＡＴＶ情報を検索する際のユーザインタフェースであるＣＡＴＶ情報検索ページのアドレスを、ネットワークを介して端末から受信するＣＡＴＶ情報サーバに、
前記端末から受信したＣＡＴＶ情報検索ページのアドレスに基づいてＣＡＴＶ情報検索ページを取得するステップと、
前記取得したＣＡＴＶ情報検索ページに記述されているＣＡＴＶ局識別情報を読み取るステップと、
前記取得したＣＡＴＶ情報検索ページを前記端末に送信するステップと、
前記端末から前記ＣＡＴＶ情報検索ページを介して送信されたＣＡＴＶ情報検索条件を受信するステップと、
前記読み取ったＣＡＴＶ局識別情報および前記端末から受信したＣＡＴＶ情報検索条件をキーとして検索を実行するステップと、
前記検索でヒットした情報を前記端末に送信するステップと、
を実行させることを特徴とするＣＡＴＶ情報サーバ用プログラム。
【請求項３】
ＣＡＴＶ情報を検索する際のユーザインタフェースであるＣＡＴＶ情報検索ページのアドレスを、ネットワークを介して端末から受信するＣＡＴＶ情報サーバに、
前記端末から受信したＣＡＴＶ情報検索ページのアドレスに基づいてＣＡＴＶ情報検索ページを取得するステップと、
前記取得したＣＡＴＶ情報検索ページを前記端末に送信するステップと、
前記端末から前記ＣＡＴＶ情報検索ページを介して送信されたＣＡＴＶ情報検索条件を受信するステップと、
前記端末からＣＡＴＶ局識別情報を受信するステップと、
前記受信したＣＡＴＶ局識別情報および前記受信したＣＡＴＶ情報検索条件をキーとして検索を実行するステップと、
前記検索でヒットした情報を前記端末に送信するステップと、
を実行させることを特徴とするＣＡＴＶ情報サーバ用プログラム。
【請求項４】
請求項１〜３のいずれか１項に記載のＣＡＴＶ情報サーバ用プログラムにおいて、さらに、
前記端末からＣＡＴＶ情報を登録されるステップと、
前記登録されたＣＡＴＶ情報に固有の時期に、前記登録されたＣＡＴＶ情報の全部または一部を前記端末にメール送信するステップと、
を前記ＣＡＴＶ情報サーバに実行させることを特徴とするＣＡＴＶ情報サーバ用プログラム。
【請求項５】
前記ＣＡＴＶ情報は、ＣＡＴＶで放送される番組の情報、ＣＡＴＶの視聴が可能な地域にある店の情報、またはＣＡＴＶの視聴が可能な地域の情報である、ことを特徴とする請求項１〜請求項４のいずれか１項に記載のＣＡＴＶ情報サーバ用プログラム。
【発明の詳細な説明】
【技術分野】
【０００１】
本発明は、ＣＡＴＶ情報サーバで実行されるプログラムに関する。ここで、ＣＡＴＶ情報サーバとは、ケーブルテレビ（ＣＡＴＶ）情報を提供するサーバをいう。
【背景技術】
【０００２】
現在、わが国においては、数多くの地域でＣＡＴＶが放送されている。各地域においては、それぞれの地域にあるＣＡＴＶ局が、それぞれの地域の特色やニーズに沿った番組を編成している。これら番組に関する情報は、ＣＡＴＶの視聴可能地域に関する情報などとともに、定期刊行物やインターネット上のＷｅｂページを介して、ユーザに提供されている。
【発明の開示】
【発明が解決しようとする課題】
【０００３】
しかしながら、これらの定期刊行物やＷｅｂページの作成・更新は、相当の時間と労力と費用が必要とされるものであるため、ＣＡＴＶ局にとって大きな負担であった。
かかる負担は、複数のＣＡＴＶ局が集まって、各ＣＡＴＶ局の情報が掲載された１つの刊行物や１つのＷｅｂページを作ることにより解消されるのではないかとも考えられる。しかしながら、１つの刊行物や１つのＷｅｂページに複数のＣＡＴＶ局の情報が掲載されると、たとえば、ＡというＣＡＴＶ局と契約しているユーザの目にＢというＣＡＴＶ局の情報が留まることとなるため、ユーザ側で、自己が契約しているＣＡＴＶ局によって提供された情報であるのか、自己が契約していないＣＡＴＶ局によって提供された情報であるのかを判断しなければならないこととなって、ユーザ側の負担が過大となる。
そこで、本発明は、ＣＡＴＶに関する情報のユーザへの伝達に関して、ＣＡＴＶ局側の負担、およびユーザ側の負担を軽減することができるＣＡＴＶ情報サーバ用プログラムを提供することを目的とする。
【課題を解決するための手段】
【０００４】
本発明によれば、上記課題は、次の手段によって解決される。
【０００５】
第１の発明は、ＣＡＴＶ情報を検索する際のユーザインタフェースであるＣＡＴＶ情報検索ページのアドレスを、ネットワークを介して端末から受信するＣＡＴＶ情報サーバに、前記端末から受信したＣＡＴＶ情報検索ページのアドレスに基づいてＣＡＴＶ情報検索ページを取得するステップと、前記取得したＣＡＴＶ情報検索ページに記述されている属性ファイルのアドレスに基づいて属性ファイルを取得するステップと、前記取得したＣＡＴＶ情報検索ページを前記端末に送信するステップと、前記端末から前記ＣＡＴＶ情報検索ページを介して送信されたＣＡＴＶ情報検索条件を受信するステップと、前記取得した属性ファイルに記述されているＣＡＴＶ局識別情報を読み取るステップと、前記読み取ったＣＡＴＶ局識別情報および前記端末から受信したＣＡＴＶ情報検索条件をキーとして検索を実行するステップと、前記検索でヒットした情報を前記端末に送信するステップと、を実行させることを特徴とするＣＡＴＶ情報サーバ用プログラムである。
【０００６】
第２の発明は、ＣＡＴＶ情報を検索する際のユーザインタフェースであるＣＡＴＶ情報検索ページのアドレスを、ネットワークを介して端末から受信するＣＡＴＶ情報サーバに、前記端末から受信したＣＡＴＶ情報検索ページのアドレスに基づいてＣＡＴＶ情報検索ページを取得するステップと、前記取得したＣＡＴＶ情報検索ページに記述されているＣＡＴＶ局識別情報を読み取るステップと、前記取得したＣＡＴＶ情報検索ページを前記端末に送信するステップと、前記端末から前記ＣＡＴＶ情報検索ページを介して送信されたＣＡＴＶ情報検索条件を受信するステップと、前記読み取ったＣＡＴＶ局識別情報および前記端末から受信したＣＡＴＶ情報検索条件をキーとして検索を実行するステップと、前記検索でヒットした情報を前記端末に送信するステップと、を実行させることを特徴とするＣＡＴＶ情報サーバ用プログラムである。
【０００７】
第３の発明は、ＣＡＴＶ情報を検索する際のユーザインタフェースであるＣＡＴＶ情報検索ページのアドレスを、ネットワークを介して端末から受信するＣＡＴＶ情報サーバに、前記端末から受信したＣＡＴＶ情報検索ページのアドレスに基づいてＣＡＴＶ情報検索ページを取得するステップと、前記取得したＣＡＴＶ情報検索ページを前記端末に送信するステップと、前記端末から前記ＣＡＴＶ情報検索ページを介して送信されたＣＡＴＶ情報検索条件を受信するステップと、前記端末からＣＡＴＶ局識別情報を受信するステップと、前記受信したＣＡＴＶ局識別情報および前記受信したＣＡＴＶ情報検索条件をキーとして検索を実行するステップと、前記検索でヒットした情報を前記端末に送信するステップと、を実行させることを特徴とするＣＡＴＶ情報サーバ用プログラムである。
【０００８】
第４の発明は、第１の発明〜第３の発明のいずれか１つに係るＣＡＴＶ情報サーバ用プログラムにおいて、さらに、前記端末からＣＡＴＶ情報を登録されるステップと、前記登録されたＣＡＴＶ情報に固有の時期に、前記登録されたＣＡＴＶ情報の全部または一部を前記端末にメール送信するステップと、を前記ＣＡＴＶ情報サーバに実行させることを特徴とするＣＡＴＶ情報サーバ用プログラムである。
【０００９】
第５の発明は、前記ＣＡＴＶ情報は、ＣＡＴＶで放送される番組の情報、ＣＡＴＶの視聴が可能な地域にある店の情報、またはＣＡＴＶの視聴が可能な地域の情報である、ことを特徴とする第１の発明〜第４の発明のいずれか１つに係るＣＡＴＶ情報サーバ用プログラムである。
【発明の効果】
【００１０】
本発明によれば、複数のＣＡＴＶ局によって提供される情報を管理するＣＡＴＶ情報サーバに対して、特定のＣＡＴＶ局と契約するユーザ（または契約を希望するユーザ）がアクセスしてきた場合に、このユーザに対して、その特定のＣＡＴＶ局が提供する情報のみを提供できるようになる。したがって、本発明によれば、複数のＣＡＴＶ局によって提供される情報を管理できる一方で、提供された情報が、自己が契約しているＣＡＴＶ局によって提供された情報であるのか、それ以外のＣＡＴＶ局によって提供された情報であるのかを判断する必要がなくなる。よって、本発明によれば、ＣＡＴＶに関する情報のユーザへの伝達に関して、ＣＡＴＶ局側の負担およびユーザ側の負担を軽減することができる。
【発明を実施するための最良の形態】
【００１１】
以下に、添付した図面を参照しつつ、本発明を実施するための最良の形態を詳細に説明する。
【００１２】
図１は、本発明の実施の形態に係るＣＡＴＶ情報システムを示す図である。
図１に示すように、本発明の実施の形態に係るＣＡＴＶ情報システムは、ＣＡＴＶ情報を送信するＣＡＴＶ情報サーバ１と、ＣＡＴＶ情報サーバ１から送信されたＣＡＴＶ情報を受信する携帯電話２またはパーソナルコンピュータ３と、を備えている。携帯電話２は、基地局４とネットワーク５とを介して、ＣＡＴＶ情報サーバ１に接続され、パーソナルコンピュータ３は、ネットワーク５を介して、ＣＡＴＶ情報サーバ１に接続される。なお、本明細書におけるＣＡＴＶ情報には、ＣＡＴＶで放送されるＴＶ番組のほか、ＣＡＴＶ局と契約を結んでいる加盟店や、ＣＡＴＶ局がカバーする地域の地域情報や、ＣＡＴＶ局の内部情報などの、およそＣＡＴＶと何らかの関係があると認められるすべての情報が含まれる。なお、本発明におけるＣＡＴＶ情報サーバ１は、あらゆる形式（文字、図形、記号、音など）のＣＡＴＶ情報を携帯電話２またはパーソナルコンピュータ３に送信することができ、また、本発明における携帯電話２またはパーソナルコンピュータ３は、あらゆる形式のＣＡＴＶ情報（文字、図形、記号、音など）を出力することができる。
【００１３】
図２は、ＣＡＴＶ情報サーバ１の構成を示す図である。
図２に示すように、ＣＡＴＶ情報サーバ１は、ＣＰＵ１−１と、ＲＡＭ１−２と、ＲＯＭ１−３と、キーボードやマウスなどの入力装置１−４と、液晶ディスプレイやＣＲＴなどの出力装置１−５と、記憶装置１−６と、ネットワークインタフェース１−７と、を備えている。ＣＡＴＶ情報サーバ１においては、ＣＰＵ１−１が、ネットワークインタフェース１−７を介してネットワーク５に情報を送信する。また、ＣＡＴＶ情報サーバ１のＲＯＭ１−３または記憶装置１−６には、ＣＡＴＶ情報サーバ用プログラムが記憶されている。ＣＡＴＶ情報サーバ１における処理は、このＣＡＴＶ情報サーバ用プログラムがＣＰＵ１−１上で実行されることにより、行われる。
【００１４】
図３は、携帯電話２の構成を示す図である。
図３に示すように、携帯電話２は、ＣＰＵ２−１と、ＲＡＭ２−２と、ＲＯＭ２−３と、ボタンやマイクなどの入力装置２−４と、液晶ディスプレイやスピーカなどの出力装置２−５と、送信装置２−６と、受信装置２−７と、を備えている。携帯電話２においては、ＣＰＵ２−１が、送信装置２−６を介して無線信号を送信し、受信装置２−７を介して無線信号を受信する。また、携帯電話２のＲＯＭ２−３には、携帯電話用プログラムが記憶されている。携帯電話２における処理は、この携帯電話用プログラムがＣＰＵ２−１上で実行されることにより、行われる。
【００１５】
図４は、パーソナルコンピュータ３の構成を示す図である。
図４に示すように、パーソナルコンピュータ３は、ＣＰＵ３−１と、ＲＡＭ３−２と、ＲＯＭ３−３と、キーボードやマウスなどの入力装置３−４と、液晶ディスプレイやＣＲＴなどの出力装置３−５と、記憶装置３−６と、ネットワークインタフェース３−７と、を備えている。パーソナルコンピュータ３においては、ＣＰＵ３−１が、ネットワークインタフェース３−７を介してネットワーク５に情報を送信する。パーソナルコンピュータ３のＲＯＭ３−３または記憶装置３−６には、パーソナルコンピュータ用プログラムが記憶されている。パーソナルコンピュータ３における処理は、このパーソナルコンピュータ用プログラムがＣＰＵ３−１上で実行されることにより、行われる。
【００１６】
図５は、ＣＡＴＶ情報サーバ１の記憶装置１−６におけるディレクトリシステムを示す図である。
図５に示すように、ＣＡＴＶ情報サーバ１の記憶装置１−６においては、「／」ディレクトリの下に、「○○ＣＡＴＶ局」ディレクトリと、「△△ＣＡＴＶ局」ディレクトリと、「通知用ＤＢ」ディレクトリと、「番組用ＤＢ」ディレクトリと、が設けられている。「△△ＣＡＴＶ局」ディレクトリの下には、「端末」ディレクトリと、「登録情報ページ」ファイルと、「登録解除ページ」ファイルと、「登録解除ページ」ファイルと、「番組検索ページ」ファイルと、「加盟店情報検索ページ」ファイルと、「地域情報検索ページ」ファイルと、「統計情報ページ」ファイルと、「属性情報」ファイと、「ユーザ情報ＤＢ」と、「加盟店情報ＤＢ」と、「地域情報ＤＢ」と、「ユーザ情報入力フォーム」と、が設けられている。また、「端末」ディレクトリの下には、「ユーザ００１」ディレクトリと、「ユーザ００２」ディレクトリと、「ユーザ００３」ディレクトリと、「トップページ」ディレクトリと、が設けられている。また、「ユーザ００１」ディレクトリの下には、「登録番組情報ＤＢ」と、「登録加盟店情報ＤＢ」と、「登録地域情報ＤＢ」と、が設けられている。また、「トップページ」ディレクトリの下には、「ユーザ００１用トップページ」ファイルと、「ユーザ００２用トップページ」ファイルと、「ユーザ００３用トップページ」ファイルと、が設けられている。また、「／番組用ＤＢ」ディレクトリの下には、「全番組情報ＤＢ」と、「統計情報ＤＢ」と、が設けられている。
ここで、「／○○ＣＡＴＶ局」ディレクトリや「／△△ＣＡＴＶ局」ディレクトリは、ＣＡＴＶ局ごとに設けられるディレクトリである。
また、「／△△ＣＡＴＶ局／端末」の下に設けられている「ユーザ００１」や「ユーザ００２」や「ユーザ００３」などのディレクトリは、ユーザごとに設けられるディレクトリである。
また、「／△△ＣＡＴＶ局／端末」の下に設けられている「ユーザ００１用トップページ」や「ユーザ００２用トップページ」や「ユーザ００３用トップページ」などのディレクトリも、ユーザごとに設けられるディレクトリである。
また、「／△△ＣＡＴＶ局／登録情報ページ」は、ＨＴＭＬなどで記述されたファイルであり、ユーザがＣＡＴＶ情報サーバ１に登録された情報を確認する際に、携帯電話２またはパーソナルコンピュータ３上で表示されるユーザインタフェースである。
また、「／△△ＣＡＴＶ局／登録解除ページ」は、ＨＴＭＬなどで記述されたファイルであり、ユーザがＣＡＴＶ情報サーバ１に登録された情報を解除する際に、携帯電話２またはパーソナルコンピュータ３上で表示されるユーザインタフェースである。
また、「／△△ＣＡＴＶ局／番組検索ページ」は、ＨＴＭＬなどで記述されたファイルであり、ユーザがＣＡＴＶ情報サーバ１で番組情報を検索する際に、携帯電話２またはパーソナルコンピュータ３上で表示されるユーザインタフェースである。なお、番組情報とは、ＣＡＴＶによって放送されるＴＶ番組のタイトルや種類や内容や出演者や放送時間などをいう。
また、「／△△ＣＡＴＶ局／加盟店情報検索ページ」は、ＨＴＭＬなどで記述されたファイルであり、ユーザがＣＡＴＶ情報サーバ１で加盟店情報を検索する際に、携帯電話２またはパーソナルコンピュータ３上で表示されるユーザインタフェースである。なお、加盟店とは、ＣＡＴＶ局がカバーする地域に存在し、ＣＡＴＶ局と特約を結んだ企業や店や人などをいう。そして、加盟店情報とは、加盟店に関する情報であって、たとえば、企業や店の所在地や営業時間や特売情報やトッピックスなどをいう。
また、「／△△ＣＡＴＶ局／地域情報検索ページ」は、ＨＴＭＬなどで記述されたファイルであり、ユーザがＣＡＴＶ情報サーバ１で地域情報を検索する際に、携帯電話２またはパーソナルコンピュータ３上で表示されるユーザインタフェースである。なお、地域情報とは、ＣＡＴＶ局がカバーする地域に関する情報をいい、たとえば、ＣＡＴＶ局がカバーする地域に存在するがＣＡＴＶ局と特約を結んでいない企業や店や人に関する情報や、ＣＡＴＶ局がカバーする地域の交通機関の情報や、ＣＡＴＶ局がカバーする地域の天気予報や、ＣＡＴＶ局がカバーする地域の図書館の情報や、ＣＡＴＶ局がカバーする地域の市役所・区役所の情報や、ＣＡＴＶ局がカバーする地域で行われる祭りの情報や、ＣＡＴＶ局がカバーする地域の詳細な地図などをいう。
また、「／△△ＣＡＴＶ局／統計情報ページ」は、ＨＴＭＬなどで記述されたファイルであり、ＣＡＴＶ情報サーバ１における各種の情報（番組情報、加盟店情報、地域情報など）に統計処理を行って得られた情報を、携帯電話２またはパーソナルコンピュータ３上で表示する際に用いられるユーザインタフェースである。
また、「／△△ＣＡＴＶ局／属性ファイル」は、△△ＣＡＴＶ局の属性が記述されたファイルである。なお、△△ＣＡＴＶ局の属性とは、△△ＣＡＴＶ局に関する番組情報、加盟店情報、地域情報、統計情報などが記憶されているディレクトリやファイルのアドレスなどをいう。
また、「／△△ＣＡＴＶ局／ユーザ情報ＤＢ」とは、△△ＣＡＴＶ局についてのトップページ（／△△ＣＡＴＶ局／端末／トップページ／ユーザ用００１用トップページや、／△△ＣＡＴＶ局／端末／トップページ／ユーザ用００２用トップページや、／△△ＣＡＴＶ局／端末／トップページ／ユーザ用００３用トップページ）が作成されたユーザについて、その氏名やメールアドレスなどの情報を記憶するデータベースである。
また、「／△△ＣＡＴＶ局／加盟店情報ＤＢ」は、△△ＣＡＴＶ局についての加盟店情報を記憶するデータベースである。
また、「／△△ＣＡＴＶ局／地域情報ＤＢ」は、△△ＣＡＴＶ局についての地域情報を記憶するＤＢである。
また、「／△△ＣＡＴＶ局／ユーザ情報入力フォーム」は、ユーザ情報を入力されるフォームである。
また、「／番組用ＤＢ／全番組情報ＤＢ」は、○○ＣＡＴＶ局の番組情報と、△△ＣＡＴＶ局の番組情報と、を記憶するＤＢである。なお、本発明の実施の形態においては、説明の便宜上、ＣＡＴＶ情報サーバ１が管理するＣＡＴＶ局の数を２つとしたが、本発明が、ＣＡＴＶ情報サーバ１が管理するＣＡＴＶ局の数を２つに限定するものでないことはいうまでもない。
また、「／番組用ＤＢ／統計情報ＤＢ」は、ユーザによって登録された番組情報を記憶するデータベースである。
また、「／△△ＣＡＴＶ局／端末／ユーザ００１／登録番組情報ＤＢ」は、ユーザ００１によって登録された番組情報を記憶するデータベースである。
また、「／△△ＣＡＴＶ局／端末／ユーザ００２／登録加盟店情報ＤＢ」は、ユーザ００２によって登録された加盟店情報を記憶するデータベースである。
また、「／△△ＣＡＴＶ局／端末／ユーザ００３／登録地域情報ＤＢ」は、ユーザ００１によって登録された地域情報を記憶するデータベースである。
本発明の実施の形態によれば、ＣＡＴＶ局ごとに、加盟店情報や地域情報やユーザ情報が管理される。したがって、本発明の実施の形態によれば、数多くのＣＡＴＶ局についての情報を容易に管理することができるようになる。
なお、本発明の実施の形態においては、本発明の理解を容易にするために、「／△△ＣＡＴＶ局」下のディレクトリシステムについて説明し、「／○○ＣＡＴＶ局」下のディレクトリシステムについては説明しなかったが、「／○○ＣＡＴＶ局」下のディレクトリシステムも、「／△△ＣＡＴＶ局」下のディレクトリシステムと同様の構成をとる。また、「／△△ＣＡＴＶ局／端末／ユーザ００２」下のディレクトリシステム」および「／△△ＣＡＴＶ局／端末／ユーザ００３」下のディレクトリシステムは、「／△△ＣＡＴＶ局／端末／ユーザ００１」下のディレクトリシステムと同様の構成をとる。
【００１７】
以上説明した本発明の実施の形態に係るＣＡＴＶ情報システムにおいては、ＣＡＴＶ情報サーバ１が、ＲＯＭ１−３または記憶装置１−６に記憶されているＣＡＴＶ情報サーバ用プログラムをＣＰＵ１−１上で実行することによって、携帯電話２またはパーソナルコンピュータ３との間でデータを送受信する。以下、図６〜図２５を参照しつつ、△△ＣＡＴＶ局と契約を結んだユーザ００１が、本発明の実施の形態に係るＣＡＴＶ情報システムを利用する場合における、ＣＡＴＶ情報サーバ１上における処理を説明する。
【００１８】
図６は、ＣＡＴＶ情報サーバ１における処理（その１）を説明する図である。
この処理（その１）は、ユーザがＣＡＴＶ情報システムを利用できるようにするための処理である。この処理（その１）においては、ユーザの情報（氏名やメールアドレスなど）がＣＡＴＶ情報サーバ１に記憶されるとともに、各ユーザに固有のトップページが作成される。
まず、携帯電話２またはパーソナルコンピュータ３が、ＣＡＴＶ情報サーバ１に対して、「△△ＣＡＴＶ局／ユーザ情報入力フォーム」の送信を要求する（Ｓ１−１）。
つぎに、携帯電話２またはパーソナルコンピュータ３から「△△ＣＡＴＶ局／ユーザ情報入力フォーム」の送信を要求されたＣＡＴＶ情報サーバ１は、記憶装置１−６に記憶されている「△△ＣＡＴＶ局／ユーザ情報入力フォーム」を、携帯電話２またはパーソナルコンピュータ３に送信する（Ｓ１−２）。
つぎに、ＣＡＴＶ情報サーバ１から「△△ＣＡＴＶ局／ユーザ情報入力フォーム」を受信した携帯電話２またはパーソナルコンピュータ３が、この受信した「△△ＣＡＴＶ局／ユーザ情報入力フォーム」を出力装置２−５または出力装置３−５に表示する（Ｓ１−３）。
つぎに、携帯電話２またはパーソナルコンピュータ３が、入力装置２−４または入力装置３−４を介して、氏名やメールアドレスなどのユーザ情報を入力される（Ｓ１−４）。
つぎに、携帯電話２またはパーソナルコンピュータ３が、入力されたユーザ情報をＣＡＴＶ情報サーバ１に送信する（Ｓ１−５）。
つぎに、ＣＡＴＶ情報サーバ１が、携帯電話２またはパーソナルコンピュータ３から受信したユーザ情報を、「△△ＣＡＴＶ局／ユーザ情報ＤＢ」の下に記憶する（Ｓ１−６）。
つぎに、ＣＡＴＶ情報サーバ１が、ユーザ情報を用いて、各ユーザに固有の「△△ＣＡＴＶ局／トップページ／ユーザ００１用トップページ」を作成する（Ｓ１−７）。
つぎに、ＣＡＴＶ情報サーバ１が、作成した「△△ＣＡＴＶ局／トップページ／ユーザ００１用トップページ」を、携帯電話２またはパーソナルコンピュータ３に送信する（Ｓ１−８）。
つぎに、携帯電話２またはパーソナルコンピュータ３が、ＣＡＴＶ情報サーバ１から受信した「△△ＣＡＴＶ局／トップページ／ユーザ００１用トップページ」を、出力装置２−５または出力装置３−５に表示する。
【００１９】
図７は、ＣＡＴＶ情報サーバ１における処理（その２）を説明する図である。
この処理（その２）は、複数のＣＡＴＶ局によって提供される番組情報を管理するＣＡＴＶ情報サーバ１に対して、特定のＣＡＴＶ局と契約するユーザがアクセスしてきた場合に、このユーザに対して、その特定のＣＡＴＶ局が提供する番組情報のみを提供できるようにする処理である。
まず、携帯電話２またはパーソナルコンピュータ３が、ＣＡＴＶ情報サーバ１に対して、「△△ＣＡＴＶ局／番組検索ページ」のアドレス（ＵＲＬなど）を送信する（Ｓ２−１）。
つぎに、「△△ＣＡＴＶ局／番組検索ページ」のアドレスを受信したＣＡＴＶ情報サーバ１が、番組情報検索処理を実行する（Ｓ２−２）。
つぎに、番組情報検索処理を実行したＣＡＴＶ情報サーバ１が、「△△ＣＡＴＶ局／番組検索ページ」を、携帯電話２またはパーソナルコンピュータ３に対して送信する（Ｓ２−３）。
つぎに、「△△ＣＡＴＶ局／番組検索ページ」を受信した携帯電話２またはパーソナルコンピュータ３が、受信した「△△ＣＡＴＶ局／番組検索ページ」を出力２−５または出力装置３−５に表示する（Ｓ２−４）。
つぎに、携帯電話２またはパーソナルコンピュータ３が、入力装置２−４または入力装置３−４を介して、番組情報検索条件を入力される（Ｓ２−５）。
つぎに、携帯電話２またはパーソナルコンピュータ３が、入力された番組情報検索条件をＣＡＴＶ情報サーバ１に対して送信する（Ｓ２−６）。
つぎに、携帯電話２またはパーソナルコンピュータ３から番組情報検索条件を受信したＣＡＴＶ情報サーバ１が、番組情報検索処理を実行する（Ｓ２−７）。
つぎに、番組情報検索処理を実行したＣＡＴＶ情報サーバ１が、「△△ＣＡＴＶ局／番組検索ページ」を、携帯電話２またはパーソナルコンピュータ３に送信する（Ｓ２−８）。
つぎに、ＣＡＴＶ情報サーバ１から「△△ＣＡＴＶ局／番組検索ページ」を受信した携帯電話２またはパーソナルコンピュータ３が、受信した「△△ＣＡＴＶ局／番組検索ページ」を出力装置２−５または出力装置３−５に表示する（Ｓ２−９）。
つぎに、携帯電話２またはパーソナルコンピュータ３が、「△△ＣＡＴＶ局／番組検索ページ」上に表示された番組を、入力装置２−４または入力装置３−４を介して選択される（Ｓ２−１０）。
つぎに、携帯電話２またはパーソナルコンピュータ３が、選択された番組の番組ＩＤをＣＡＴＶ情報サーバ１に送信する（Ｓ２−１１）。
つぎに、携帯電話２またはパーソナルコンピュータ３から番組ＩＤを受信したＣＡＴＶ情報サーバ１が、受信した番組ＩＤを「△△ＣＡＴＶ局／ユーザ００１／登録番組情報ＤＢ」の下に記憶する（Ｓ２−１２）。このステップ（Ｓ２−１２）により、携帯電話２またはパーソナルコンピュータ３から送信された番組情報が、ＣＡＴＶ情報サーバ１において登録されたこととなる。
この処理（その２）によれば、複数のＣＡＴＶ局によって提供される番組情報をＣＡＴＶ情報サーバ１において管理できる一方で、提供された番組情報が、自己が契約しているＣＡＴＶ局によって提供された番組情報であるのか、それ以外のＣＡＴＶ局によって提供された番組情報であるのかをユーザにおいて判断する必要がなくなる。よって、この処理（その２）によれば、ＣＡＴＶに関する番組情報のユーザへの伝達に関して、ＣＡＴＶ局側の負担およびユーザ側の負担を軽減することができる。
なお、この処理（その２）においては、携帯電話２またはパーソナルコンピュータ３からＣＡＴＶ情報サーバ１へ番組ＩＤが送信された場合（Ｓ２−１１）には、この番組ＩＤがＣＡＴＶ情報サーバ１において記憶される（Ｓ２−１２）。しかしながら、本発明においては、Ｓ２−８でＣＡＴＶ情報サーバ１から送信される番組情報を要約的なものにした上で、ＣＡＴＶ情報サーバ１が番組ＩＤを記憶する前に、この番組ＩＤが示す番組についての詳細な番組情報を、ＣＡＴＶ情報サーバ１から携帯電話２またはパーソナルコンピュータ３へ送信することもできる。このようにすれば、興味のない番組についての詳細情報を見る必要がなくなるため、見たい番組を容易且つ短時間で見つけることができるようになる。
【００２０】
図８は、番組情報検索処理の第１の例を説明する図である。
まず、ＣＡＴＶ情報サーバ１は、受信した「／△△ＣＡＴＶ局／番組検索ページ」のアドレスに基づいて「／△△ＣＡＴＶ局／番組検索ページ」を読み込み、この読み込んだ「／△△ＣＡＴＶ局／番組検索ページ」に記述されている属性ファイルのパス名に基づいて属性ファイルを読み込む（Ｓ３−１）。
つぎに、ＣＡＴＶ情報サーバ１は、携帯電話２またはパーソナルコンピュータ３から番組情報検索条件を受信しているか否かを判断し（Ｓ３−３）、受信していれば、属性ファイルに記述されているＣＡＴＶ局識別情報と携帯電話２またはパーソナルコンピュータ３から受信した番組情報検索条件とをキーとして、「／番組用ＤＢ／全番組情報ＤＢ」を検索し（Ｓ３−４）、受信していなければ、属性ファイルに記述されているＣＡＴＶ局識別情報とテレビ局とをキーとして、「／番組用ＤＢ／全番組情報ＤＢ」を検索する（Ｓ３−５）。
つぎに、ＣＡＴＶ情報サーバ１は、ヒットした情報を、「／△△ＣＡＴＶ局／番組検索ページ」に記述する（Ｓ３−６）。
この番組情報検索処理の第１の例によれば、ＣＡＴＶ情報サーバ１が、属性ファイルによって、アクセスしてきたユーザが契約しているＣＡＴＶ局を特定できるようになる。したがって、この番組情報検索処理の第１の例によれば、ＣＡＴＶ情報サーバ１にアクセスしてきたユーザに対して、このユーザと契約を結んでいないＣＡＴＶ局が提供する番組情報が送信されない。よって、この番組情報検索処理の第１の例によれば、ユーザが自己と契約を結んでいないＣＡＴＶ局によって提供される番組情報に煩わされるという事態を、減少させることができる。なお、この番組情報検索処理の第１の例によれば、携帯電話２またはパーソナルコンピュータ３からＣＡＴＶ情報サーバ１に番組情報検索条件が送信されない場合には、ＣＡＴＶ情報サーバ１に記憶されているすべての番組情報のうちの、テレビ局をキーとしてヒットする番組情報のみが携帯電話２またはパーソナルコンピュータ３に送信される。したがって、この番組情報検索処理の第１の例によれば、番組情報検索条件を思いつかないユーザに対して、テレビ局をキーとしてヒットした番組情報を送信するという形で、番組の視聴の提案を行うことができる。なお、この本発明の実施の形態においては、テレビ局をキーとしてヒットした番組情報を送信するという形で、番組の視聴の提案を行ったが、本発明は、視聴を提案する情報をテレビ局をキーとしてヒットしたものに限定するものではない。したがって、本発明においては、テレビ局をキーとしてヒットした番組情報のほか、スポーツや映画や地域や政治や経済など（以下、「視聴提案条件」という。）をキーとしてヒットした番組情報をＣＡＴＶ情報サーバ１から携帯電話２またはパーソナルコンピュータ３に送信するという形で、番組の視聴を提案することもできる。
【００２１】
図９は、番組情報検索処理の第２の例を説明する図である。
まず、ＣＡＴＶ情報サーバ１は、携帯電話２またはパーソナルコンピュータ３から番組情報検索条件を受信したか否かを判断し（Ｓ４−１）、受信していれば、携帯電話２またはパーソナルコンピュータ３から受信した「／△△ＣＡＴＶ局／番組検索ページ」に記述されているＣＡＴＶ局識別情報と携帯電話２またはパーソナルコンピュータ３から受信した番組情報検索条件とをキーとして、「／番組用ＤＢ／全番組情報ＤＢ」を検索し（Ｓ４−２）、受信していなければ、「／△△ＣＡＴＶ局／番組検索ページ」に記述されているＣＡＴＶ局識別情報とテレビ局とをキーとして、「／番組用ＤＢ／全番組情報ＤＢ」を検索する（Ｓ４−３）。そして、ＣＡＴＶ情報サーバ１は、ヒットした情報を、「／△△ＣＡＴＶ局／番組検索ページ」に記述する（Ｓ４−４）。
この番組情報検索処理の第２の例によっても、ＣＡＴＶ情報サーバ１は、属性ファイルによって、アクセスしてきたユーザが契約しているＣＡＴＶ局を特定できるようになる。したがって、この番組情報検索処理の第２の例によっても、ＣＡＴＶ情報サーバ１にアクセスしてきたユーザに対して、このユーザと契約を結んでいないＣＡＴＶ局が提供する番組情報が送信されない。よって、この番組情報検索処理の第２の例によっても、ユーザが自己と契約を結んでいないＣＡＴＶ局によって提供される番組情報に煩わされるという事態を、減少させることができる。なお、この番組情報検索処理の第２の例によっても、携帯電話２またはパーソナルコンピュータ３からＣＡＴＶ情報サーバ１に番組情報検索条件が送信されない場合には、ＣＡＴＶ情報サーバ１に記憶されているすべての番組情報のうちの、テレビ局をキーとしてヒットする番組情報のみが携帯電話２またはパーソナルコンピュータ３に送信される。したがって、この番組情報検索処理の第２の例によっても、番組情報検索条件を思いつかないユーザに対して、テレビ局をキーとしてヒットした番組情報を送信するという形で、番組の視聴の提案を行うことができる。なお、この番組情報検索処理の第２の例においても、番組情報検索処理の第１の例と同様に、「テレビ局」は、「視聴提案条件」とすることができる。
【００２２】
図１０は、番組情報検索処理の第３の例を説明する図である。
まず、ＣＡＴＶ情報サーバ１は、携帯電話２またはパーソナルコンピュータ３から番組情報検索条件を受信したか否かを判断し（Ｓ５−１）、受信していれば、携帯電話２またはパーソナルコンピュータ３に記憶されているＣＡＴＶ局識別情報と携帯電話２またはパーソナルコンピュータ３から受信した番組情報検索条件とをキーとして、「／番組用ＤＢ／全番組情報ＤＢ」を検索し（Ｓ５−２）、受信していなければ、携帯電話２またはパーソナルコンピュータ３に記憶されているＣＡＴＶ局識別情報とテレビ局とをキーとして、「／番組用ＤＢ／全番組情報ＤＢ」を検索する（Ｓ５−３）。なお、携帯電話２またはパーソナルコンピュータ３に記憶されているＣＡＴＶ局識別情報は、任意のタイミングで、携帯電話２またはパーソナルコンピュータ３からＣＡＴＶ情報サーバ１に送信される。そして、ＣＡＴＶ情報サーバ１は、ヒットした情報を、「／△△ＣＡＴＶ局／番組検索ページ」に記述する（Ｓ５−４）。
この番組情報検索処理の第３の例によっても、ＣＡＴＶ情報サーバ１が、属性ファイルによって、アクセスしてきたユーザが契約しているＣＡＴＶ局を特定できるようになる。したがって、この番組情報検索処理の第３の例によっても、ＣＡＴＶ情報サーバ１にアクセスしてきたユーザに対して、このユーザと契約を結んでいないＣＡＴＶ局が提供する番組情報が送信されない。よって、この番組情報検索処理の第３の例によっても、ユーザが自己と契約を結んでいないＣＡＴＶ局によって提供される番組情報に煩わされるという事態を、減少させることができる。なお、この番組情報検索処理の第３の例によっても、携帯電話２またはパーソナルコンピュータ３からＣＡＴＶ情報サーバ１に番組情報検索条件が送信されない場合には、ＣＡＴＶ情報サーバ１に記憶されているすべての番組情報のうちの、テレビ局をキーとしてヒットする番組情報のみが携帯電話２またはパーソナルコンピュータ３に送信される。したがって、この番組情報検索処理の第３の例によっても、番組情報検索条件を思いつかないユーザに対して、テレビ局をキーとしてヒットした番組情報を送信するという形で、番組の視聴の提案を行うことができる。なお、番組情報検索処理の第３の例においても、番組情報検索処理の第１の例や第２の例と同様に、「テレビ局」は、「視聴提案条件」に置き換えることができる。
【００２３】
図１１は、ＣＡＴＶ情報サーバ１における処理（その３）を説明する図である。
この処理（その３）は、複数のＣＡＴＶ局によって提供される加盟店情報を管理するＣＡＴＶ情報サーバ１に対して、特定のＣＡＴＶ局と契約するユーザがアクセスしてきた場合に、このユーザに対して、その特定のＣＡＴＶ局が提供する加盟店情報のみを提供できるようにする処理である。
まず、携帯電話２またはパーソナルコンピュータ３が、ＣＡＴＶ情報サーバ１に対して、「△△ＣＡＴＶ局／加盟店情報検索ページ」のアドレスを送信する（Ｓ６−１）。
つぎに、「△△ＣＡＴＶ局／加盟店情報検索ページ」のアドレスを受信したＣＡＴＶ情報サーバ１が、加盟店情報検索処理を実行する（Ｓ６−２）。
つぎに、加盟店情報検索処理を実行したＣＡＴＶ情報サーバ１が、「△△ＣＡＴＶ局／加盟店情報検索ページ」を、携帯電話２またはパーソナルコンピュータ３に対して送信する（Ｓ６−３）。
つぎに、「△△ＣＡＴＶ局／加盟店情報検索ページ」を受信した携帯電話２またはパーソナルコンピュータ３が、受信した「△△ＣＡＴＶ局／加盟店情報検索ページ」を出力２−５または出力装置３−５に表示する（Ｓ６−４）。
つぎに、携帯電話２またはパーソナルコンピュータ３が、出力装置２−５または出力装置３−５に表示された「△△ＣＡＴＶ局／加盟店情報検索ページ」を介して、加盟店情報検索条件を入力される（Ｓ６−５）。
つぎに、携帯電話２またはパーソナルコンピュータ３が、入力された加盟店情報検索条件をＣＡＴＶ情報サーバ１に対して送信する（Ｓ６−６）。
つぎに、携帯電話２またはパーソナルコンピュータ３から加盟店情報検索条件を受信したＣＡＴＶ情報サーバ１が、加盟店情報検索処理を実行する（Ｓ６−７）。
つぎに、加盟店情報検索処理を実行したＣＡＴＶ情報サーバ１が、「△△ＣＡＴＶ局／加盟店情報検索ページ」を、携帯電話２またはパーソナルコンピュータ３に送信する（Ｓ６−８）。
つぎに、ＣＡＴＶ情報サーバ１から「△△ＣＡＴＶ局／加盟店情報検索ページ」を受信した携帯電話２またはパーソナルコンピュータ３が、受信した「△△ＣＡＴＶ局／加盟店情報検索ページ」を出力装置２−５または出力装置３−５に表示する（Ｓ６−９）。
つぎに、携帯電話２またはパーソナルコンピュータ３が、「△△ＣＡＴＶ局／加盟店情報検索ページ」上に表示された加盟店情報を、入力装置２−４または入力装置３−４を介して選択される（Ｓ６−１０）。
つぎに、携帯電話２またはパーソナルコンピュータ３が、選択された加盟店情報の加盟店情報ＩＤをＣＡＴＶ情報サーバ１に送信する（Ｓ６−１１）。
つぎに、携帯電話２またはパーソナルコンピュータ３から加盟店情報ＩＤを受信したＣＡＴＶ情報サーバ１が、受信した加盟店情報ＩＤを「△△ＣＡＴＶ局／ユーザ００１／登録加盟店情報ＤＢ」の下に記憶する（Ｓ６−１２）。このステップ（Ｓ６−１２）により、携帯電話２またはパーソナルコンピュータ３から送信された加盟店情報が、ＣＡＴＶ情報サーバ１において登録されたこととなる。
この処理（その３）によれば、複数のＣＡＴＶ局によって提供される加盟店情報をＣＡＴＶ情報サーバ１において管理できる一方で、提供された加盟店情報が、自己が契約しているＣＡＴＶ局によって提供された加盟店情報であるのか、それ以外のＣＡＴＶ局によって提供された加盟店情報であるのかをユーザにおいて判断する必要がなくなる。よって、この処理（その３）によれば、ＣＡＴＶに関する加盟店情報のユーザへの伝達に関して、ＣＡＴＶ局側の負担およびユーザ側の負担を軽減することができる。
なお、この処理（その３）においては、携帯電話２またはパーソナルコンピュータ３からＣＡＴＶ情報サーバ１へ加盟店情報ＩＤが送信された場合（Ｓ６−１１）には、この加盟店情報ＩＤがＣＡＴＶ情報サーバ１において記憶される（Ｓ６−１２）。しかしながら、本発明においては、Ｓ６−８でＣＡＴＶ情報サーバ１から送信される加盟店情報を要約的なものにした上で、ＣＡＴＶ情報サーバ１が加盟店情報ＩＤを記憶する前に、この加盟店情報ＩＤが示す加盟店についての詳細な加盟店情報を、ＣＡＴＶ情報サーバ１から携帯電話２またはパーソナルコンピュータ３へ送信することもできる。このようにすれば、興味のない加盟店についての詳細情報を見る必要がなくなるため、興味のある加盟店を容易且つ短時間で見つけることができるようになる。
【００２４】
図１２は、加盟店情報検索処理の第１の例を説明する図である。
まず、ＣＡＴＶ情報サーバ１は、受信した「／△△ＣＡＴＶ局／加盟店情報検索ページ」のアドレスに基づいて「／△△ＣＡＴＶ局／加盟店情報検索ページ」を記憶装置１−６から読み込み、この読み込んだ「／△△ＣＡＴＶ局／加盟店情報検索ページ」に記述されている属性ファイルのパス名に基づいて属性ファイルを読み込む（Ｓ７−１）。
つぎに、ＣＡＴＶ情報サーバ１は、携帯電話２またはパーソナルコンピュータ３から加盟店情報検索条件を受信しているか否かを判断し（Ｓ７−３）、受信していれば、属性ファイルに記述されているＣＡＴＶ局識別情報に基づいて「／△△ＣＡＴＶ局／加盟店情報ＤＢ」にアクセスし、携帯電話２またはパーソナルコンピュータ３から受信した加盟店情報検索条件をキーとして検索し（Ｓ７−４）、受信していなければ、属性ファイルに記述されているＣＡＴＶ局識別情報に基づいて「／△△ＣＡＴＶ局／加盟店情報ＤＢ」にアクセスし、特別加盟店をキーとして検索する（Ｓ７−５）。なお、本明細書において、特別加盟店とは、ＣＡＴＶ局と特約を結んでいる加盟店をいう。
つぎに、ＣＡＴＶ情報サーバ１は、ヒットした情報を、「／△△ＣＡＴＶ局／加盟店情報検索ページ」に記述する（Ｓ７−６）。
この加盟店情報検索処理の第１の例によれば、ＣＡＴＶ情報サーバ１が、属性ファイルによって、アクセスしてきたユーザが契約しているＣＡＴＶ局を特定できるようになる。したがって、この加盟店情報検索処理の第１の例によれば、ＣＡＴＶ情報サーバ１にアクセスしてきたユーザに対して、このユーザと契約を結んでいないＣＡＴＶ局が提供する加盟店情報が送信されない。よって、この加盟店情報検索処理の第１の例によれば、ユーザが自己と契約を結んでいないＣＡＴＶ局によって提供される加盟店情報に煩わされるという事態を、減少させることができる。なお、この加盟店情報検索処理の第１の例によれば、携帯電話２またはパーソナルコンピュータ３からＣＡＴＶ情報サーバ１に加盟店情報検索条件が送信されない場合には、ＣＡＴＶ情報サーバ１に記憶されているすべての加盟店情報のうちの、特別加盟店をキーとしてヒットする加盟店情報のみが携帯電話２またはパーソナルコンピュータ３に送信される。したがって、この加盟店情報検索処理の第１の例によれば、加盟店情報情報検索条件を思いつかないユーザに対して、ＣＡＴＶ局との間で特約を結んだ加盟店を優先的に知らしめることができる。したがって、この加盟店情報検索処理の第１の例によれば、加盟店を差別化することができるため、本発明の実施の形態に係るＣＡＴＶ情報システムを加盟店を効果的に宣伝するメディアとすることができる。
【００２５】
図１３は、加盟店情報検索処理の第２の例を説明する図である。
まず、ＣＡＴＶ情報サーバ１は、携帯電話２またはパーソナルコンピュータ３から加盟店情報検索条件を受信したか否かを判断し（Ｓ８−１）、受信していれば、携帯電話２またはパーソナルコンピュータ３から受信した「／△△ＣＡＴＶ局／加盟店情報検索ページ」に記述されているＣＡＴＶ局識別情報に基づいて「／△△ＣＡＴＶ局／加盟店情報ＤＢ」にアクセスし、携帯電話２またはパーソナルコンピュータ３から受信した加盟店情報検索条件をキーとして「／△△ＣＡＴＶ局／加盟店情報ＤＢ」を検索し（Ｓ８−２）、受信していなければ、「／△△ＣＡＴＶ局／加盟店情報検索ページ」に記述されているＣＡＴＶ局識別情報と特別加盟店とをキーとして、「／△△ＣＡＴＶ局／加盟店情報ＤＢ」を検索する（Ｓ４−３）。そして、ＣＡＴＶ情報サーバ１は、ヒットした情報を、「／△△ＣＡＴＶ局／加盟店情報検索ページ」に記述する（Ｓ８−４）。
この加盟店情報検索処理の第２の例によっても、ＣＡＴＶ情報サーバ１が、属性ファイルによって、アクセスしてきたユーザが契約しているＣＡＴＶ局を特定できるようになる。したがって、この加盟店情報検索処理の第２の例によっても、ＣＡＴＶ情報サーバ１にアクセスしてきたユーザに対して、このユーザと契約を結んでいないＣＡＴＶ局が提供する加盟店情報が送信されない。よって、この加盟店情報検索処理の第２の例によっても、ユーザが自己と契約を結んでいないＣＡＴＶ局によって提供される加盟店情報に煩わされるという事態を、減少させることができる。なお、この加盟店情報検索処理の第２の例によっても、携帯電話２またはパーソナルコンピュータ３からＣＡＴＶ情報サーバ１に加盟店情報検索条件が送信されない場合には、ＣＡＴＶ情報サーバ１に記憶されているすべての加盟店情報のうちの、特別加盟店をキーとしてヒットする加盟店情報のみが携帯電話２またはパーソナルコンピュータ３に送信される。したがって、この加盟店情報検索処理の第２の例によっても、加盟店情報情報検索条件を思いつかないユーザに対して、ＣＡＴＶ局との間で特約を結んだ加盟店を優先的に知らしめることができる。したがって、この加盟店情報検索処理の第２の例によっても、加盟店を差別化することができるため、本発明の実施の形態に係るＣＡＴＶ情報システムを加盟店を効果的に宣伝するメディアとすることができる。
【００２６】
図１０は、加盟店情報検索処理の第３の例を説明する図である。
まず、ＣＡＴＶ情報サーバ１は、携帯電話２またはパーソナルコンピュータ３から加盟店情報検索条件を受信したか否かを判断し（Ｓ９−１）、受信していれば、携帯電話２またはパーソナルコンピュータ３に記憶されているＣＡＴＶ局識別情報と携帯電話２またはパーソナルコンピュータ３から受信した加盟店情報検索条件とをキーとして、「／△△ＣＡＴＶ局／加盟店情報ＤＢ」を検索し（Ｓ９−２）、受信していなければ、携帯電話２またはパーソナルコンピュータ３に記憶されているＣＡＴＶ局識別情報に基づいて「／△△ＣＡＴＶ局／加盟店情報ＤＢ」にアクセスし、特別加盟店をキーとして「／△△ＣＡＴＶ局／加盟店情報ＤＢ」を検索する（Ｓ９−３）。なお、携帯電話２またはパーソナルコンピュータ３に記憶されているＣＡＴＶ局識別情報は、任意のタイミングで、携帯電話２またはパーソナルコンピュータ３からＣＡＴＶ情報サーバ１に送信される。そして、ＣＡＴＶ情報サーバ１は、ヒットした情報を、「／△△ＣＡＴＶ局／加盟店情報検索ページ」に記述する（Ｓ９−４）。
この加盟店情報検索処理の第３の例によっても、ＣＡＴＶ情報サーバ１が、属性ファイルによって、アクセスしてきたユーザが契約しているＣＡＴＶ局を特定できるようになる。したがって、この加盟店情報検索処理の第３の例によっても、ＣＡＴＶ情報サーバ１にアクセスしてきたユーザに対して、このユーザと契約を結んでいないＣＡＴＶ局が提供する加盟店情報が送信されない。よって、この加盟店情報検索処理の第３の例によっても、ユーザが自己と契約を結んでいないＣＡＴＶ局によって提供される加盟店情報に煩わされるという事態を、減少させることができる。なお、この加盟店情報検索処理の第３の例によっても、携帯電話２またはパーソナルコンピュータ３からＣＡＴＶ情報サーバ１に加盟店情報検索条件が送信されない場合には、ＣＡＴＶ情報サーバ１に記憶されているすべての加盟店情報のうちの、特別加盟店をキーとしてヒットする加盟店情報のみが携帯電話２またはパーソナルコンピュータ３に送信される。したがって、この加盟店情報検索処理の第３の例によっても、加盟店情報情報検索条件を思いつかないユーザに対して、ＣＡＴＶ局との間で特約を結んだ加盟店を優先的に知らしめることができる。したがって、この加盟店情報検索処理の第３の例によっても、加盟店を差別化することができるため、本発明の実施の形態に係るＣＡＴＶ情報システムを加盟店を効果的に宣伝するメディアとすることができる。
【００２７】
図１５は、ＣＡＴＶ情報サーバ１における処理（その４）を説明する図である。
この処理（その４）は、複数のＣＡＴＶ局によって提供される地域情報を管理するＣＡＴＶ情報サーバ１に対して、特定のＣＡＴＶ局と契約するユーザがアクセスしてきた場合に、このユーザに対して、その特定のＣＡＴＶ局が提供する地域情報のみを提供できるようにする処理である。
まず、携帯電話２またはパーソナルコンピュータ３が、ＣＡＴＶ情報サーバ１に対して、「△△ＣＡＴＶ局／地域情報検索ページ」のアドレスを送信する（Ｓ１０−１）。
つぎに、「△△ＣＡＴＶ局／地域情報検索ページ」のアドレスを受信したＣＡＴＶ情報サーバ１が、地域情報検索処理を実行する（Ｓ１０−２）。
つぎに、地域情報検索処理を実行したＣＡＴＶ情報サーバ１が、「△△ＣＡＴＶ局／地域情報検索ページ」を、携帯電話２またはパーソナルコンピュータ３に対して送信する（Ｓ１０−３）。
つぎに、「△△ＣＡＴＶ局／地域情報検索ページ」を受信した携帯電話２またはパーソナルコンピュータ３が、受信した「△△ＣＡＴＶ局／地域情報検索ページ」を出力２−５または出力装置３−５に表示する（Ｓ１０−４）。
つぎに、携帯電話２またはパーソナルコンピュータ３が、出力装置２−５または出力装置３−５に表示された「△△ＣＡＴＶ局／地域情報検索ページ」を介して、地域情報検索条件を入力される（Ｓ１０−５）。
つぎに、携帯電話２またはパーソナルコンピュータ３が、入力された地域情報検索条件をＣＡＴＶ情報サーバ１に対して送信する（Ｓ１０−６）。
つぎに、携帯電話２またはパーソナルコンピュータ３から地域情報検索条件を受信したＣＡＴＶ情報サーバ１が、地域情報検索処理を実行する（Ｓ１０−７）。
つぎに、地域情報検索処理を実行したＣＡＴＶ情報サーバ１が、「△△ＣＡＴＶ局／地域情報検索ページ」を、携帯電話２またはパーソナルコンピュータ３に送信する（Ｓ１０−８）。
つぎに、ＣＡＴＶ情報サーバ１から「△△ＣＡＴＶ局／地域情報検索ページ」を受信した携帯電話２またはパーソナルコンピュータ３が、受信した「△△ＣＡＴＶ局／地域情報検索ページ」を出力装置２−５または出力装置３−５に表示する（Ｓ１０−９）。
つぎに、携帯電話２またはパーソナルコンピュータ３が、「△△ＣＡＴＶ局／地域情報検索ページ」上に表示された地域情報を、入力装置２−４または入力装置３−４を介して選択される（Ｓ１０−１０）。
つぎに、携帯電話２またはパーソナルコンピュータ３が、選択された地域情報の地域情報ＩＤをＣＡＴＶ情報サーバ１に送信する（Ｓ１０−１１）。
つぎに、携帯電話２またはパーソナルコンピュータ３から地域情報ＩＤを受信したＣＡＴＶ情報サーバ１が、受信した地域情報ＩＤを「△△ＣＡＴＶ局／ユーザ００１／登録地域情報ＤＢ」の下に記憶する（Ｓ１０−１２）。このステップ（Ｓ１０−１２）により、携帯電話２またはパーソナルコンピュータ３から送信された地域情報が、ＣＡＴＶ情報サーバ１において登録されたこととなる。
この処理（その４）によれば、複数のＣＡＴＶ局によって提供される地域情報をＣＡＴＶ情報サーバ１において管理できる一方で、提供された地域情報が、自己が契約しているＣＡＴＶ局によって提供された地域情報であるのか、それ以外のＣＡＴＶ局によって提供された地域情報であるのかをユーザにおいて判断する必要がなくなる。よって、この処理（その４）によれば、ＣＡＴＶに関する地域情報のユーザへの伝達に関して、ＣＡＴＶ局側の負担およびユーザ側の負担を軽減することができる。
なお、この処理（その４）においては、携帯電話２またはパーソナルコンピュータ３からＣＡＴＶ情報サーバ１へ地域情報ＩＤが送信された場合（Ｓ１０−１１）には、この地域情報ＩＤがＣＡＴＶ情報サーバ１において記憶される（Ｓ１０−１２）。しかしながら、本発明においては、Ｓ１０−８でＣＡＴＶ情報サーバ１から送信される地域情報を要約的なものにした上で、ＣＡＴＶ情報サーバ１が地域情報ＩＤを記憶する前に、この地域情報ＩＤが示す地域についての詳細な地域情報を、ＣＡＴＶ情報サーバ１から携帯電話２またはパーソナルコンピュータ３へ送信することもできる。このようにすれば、興味のない地域についての詳細情報を見る必要がなくなるため、興味のある地域情報を容易且つ短時間で見つけることができるようになる。
【００２８】
図１６は、地域情報検索処理の第１の例を説明する図である。
まず、ＣＡＴＶ情報サーバ１は、受信した「／△△ＣＡＴＶ局／地域情報検索ページ」のアドレスに基づいて「／△△ＣＡＴＶ局／地域情報検索ページ」を記憶装置１−６から読み込み、この読み込んだ「／△△ＣＡＴＶ局／地域情報検索ページ」に記述されている属性ファイルのパス名に基づいて属性ファイルを読み込む（Ｓ１１−１）。
つぎに、ＣＡＴＶ情報サーバ１は、携帯電話２またはパーソナルコンピュータ３から地域情報検索条件を受信しているか否かを判断し（Ｓ１１−３）、受信していれば、属性ファイルに記述されているＣＡＴＶ局識別情報に基づいて「／△△ＣＡＴＶ局／地域情報ＤＢ」にアクセスし、携帯電話２またはパーソナルコンピュータ３から受信した地域情報検索条件をキーとして検索し（Ｓ１１−４）、受信していなければ、属性ファイルに記述されているＣＡＴＶ局識別情報に基づいて「／△△ＣＡＴＶ局／地域情報ＤＢ」にアクセスし、日付をキーとして検索する（Ｓ１１−５）。
つぎに、ＣＡＴＶ情報サーバ１は、ヒットした情報を、「／△△ＣＡＴＶ局／地域情報検索ページ」に記述する（Ｓ１１−６）。
この地域情報検索処理の第１の例によれば、ＣＡＴＶ情報サーバ１が、属性ファイルによって、アクセスしてきたユーザが契約しているＣＡＴＶ局を特定できるようになる。したがって、この地域情報検索処理の第１の例によれば、ＣＡＴＶ情報サーバ１にアクセスしてきたユーザに対して、このユーザと契約を結んでいないＣＡＴＶ局が提供する地域情報が送信されない。よって、この地域情報検索処理の第１の例によれば、ユーザが自己と契約を結んでいないＣＡＴＶ局によって提供される地域情報に煩わされるという事態を、減少させることができる。なお、この地域情報検索処理の第１の例によれば、携帯電話２またはパーソナルコンピュータ３からＣＡＴＶ情報サーバ１に地域情報検索条件が送信されない場合には、ＣＡＴＶ情報サーバ１に記憶されているすべての地域情報のうちの、日付をキーとしてヒットする地域情報のみが携帯電話２またはパーソナルコンピュータ３に送信される。したがって、この地域情報検索処理の第１の例によれば、地域情報検索条件を思いつかないユーザに対して、検索を行った日に関係のある地域の情報（たとえば、祭りや選挙など）を知らしめることができる。したがって、この地域情報検索処理の第１の例によれば、地域の情報を積極的にアピールできるため、本発明の実施の形態に係るＣＡＴＶ情報システムを地域の活性化に役立つメディアとすることができる。
【００２９】
図１７は、地域情報検索処理の第２の例を説明する図である。
まず、ＣＡＴＶ情報サーバ１は、携帯電話２またはパーソナルコンピュータ３から地域情報検索条件を受信したか否かを判断し（Ｓ１２−１）、受信していれば、携帯電話２またはパーソナルコンピュータ３から受信した「／△△ＣＡＴＶ局／地域情報検索ページ」に記述されているＣＡＴＶ局識別情報に基づいて「／△△ＣＡＴＶ局／地域情報ＤＢ」にアクセスし、携帯電話２またはパーソナルコンピュータ３から受信した地域情報検索条件をキーとして「／△△ＣＡＴＶ局／地域情報ＤＢ」を検索し（Ｓ１２−２）、受信していなければ、「／△△ＣＡＴＶ局／地域情報検索ページ」に記述されているＣＡＴＶ局識別情報と日付とをキーとして、「／△△ＣＡＴＶ局／地域情報ＤＢ」を検索する（Ｓ１２−３）。そして、ＣＡＴＶ情報サーバ１は、ヒットした情報を、「／△△ＣＡＴＶ局／地域情報ＤＢ」に記述する（Ｓ１２−４）。
この地域情報検索処理の第２の例によっても、ＣＡＴＶ情報サーバ１が、属性ファイルによって、アクセスしてきたユーザが契約しているＣＡＴＶ局を特定できるようになる。したがって、この地域情報検索処理の第２の例によっても、ＣＡＴＶ情報サーバ１にアクセスしてきたユーザに対して、このユーザと契約を結んでいないＣＡＴＶ局が提供する地域情報が送信されない。よって、この地域情報検索処理の第２の例によっても、ユーザが自己と契約を結んでいないＣＡＴＶ局によって提供される地域情報に煩わされるという事態を、減少させることができる。なお、この地域情報検索処理の第２の例によっても、携帯電話２またはパーソナルコンピュータ３からＣＡＴＶ情報サーバ１に地域情報検索条件が送信されない場合には、ＣＡＴＶ情報サーバ１に記憶されているすべての地域情報のうちの、日付をキーとしてヒットする地域情報のみが携帯電話２またはパーソナルコンピュータ３に送信される。したがって、この地域情報検索処理の第２の例によっても、地域情報検索条件を思いつかないユーザに対して、検索を行った日に関係のある地域の情報（たとえば、祭りや選挙など）を知らしめることができる。したがって、この地域情報検索処理の第２の例によっても、地域の情報を積極的にアピールできるため、本発明の実施の形態に係るＣＡＴＶ情報システムを地域の活性化に役立つメディアとすることができる。
【００３０】
図１８は、地域情報検索処理の第３の例を説明する図である。
まず、ＣＡＴＶ情報サーバ１は、携帯電話２またはパーソナルコンピュータ３から地域情報検索条件を受信したか否かを判断し（Ｓ１３−１）、受信していれば、携帯電話２またはパーソナルコンピュータ３に記憶されているＣＡＴＶ局識別情報に基づいて「／△△ＣＡＴＶ局／地域情報ＤＢ」にアクセスし、携帯電話２またはパーソナルコンピュータ３から受信した地域情報検索条件をキーとして「／△△ＣＡＴＶ局／地域情報ＤＢ」を検索し（Ｓ１３−２）、受信していなければ、携帯電話２またはパーソナルコンピュータ３に記憶されているＣＡＴＶ局識別情報に基づいて「／△△ＣＡＴＶ局／地域情報ＤＢ」にアクセスし、日付をキーとして「／△△ＣＡＴＶ局／地域情報ＤＢ」を検索する（Ｓ１３−３）。なお、携帯電話２またはパーソナルコンピュータ３に記憶されているＣＡＴＶ局識別情報は、任意のタイミングで、携帯電話２またはパーソナルコンピュータ３からＣＡＴＶ情報サーバ１に送信される。そして、ＣＡＴＶ情報サーバ１は、ヒットした情報を、「／△△ＣＡＴＶ局／地域情報検索ページ」に記述する（Ｓ１３−４）。
この地域情報検索処理の第３の例によっても、ＣＡＴＶ情報サーバ１が、属性ファイルによって、アクセスしてきたユーザが契約しているＣＡＴＶ局を特定できるようになる。したがって、この地域情報検索処理の第３の例によれば、ＣＡＴＶ情報サーバ１にアクセスしてきたユーザに対して、このユーザと契約を結んでいないＣＡＴＶ局が提供する地域情報が送信されない。よって、この地域情報検索処理の第３の例によっても、ユーザが自己と契約を結んでいないＣＡＴＶ局によって提供される地域情報に煩わされるという事態を、減少させることができる。なお、この地域情報検索処理の第３の例によっても、携帯電話２またはパーソナルコンピュータ３からＣＡＴＶ情報サーバ１に地域情報検索条件が送信されない場合には、ＣＡＴＶ情報サーバ１に記憶されているすべての地域情報のうちの、日付をキーとしてヒットする地域情報のみが携帯電話２またはパーソナルコンピュータ３に送信される。したがって、この地域情報検索処理の第３の例によっても、地域情報検索条件を思いつかないユーザに対して、検索を行った日に関係のある地域の情報（たとえば、祭りや選挙など）を知らしめることができる。したがって、この地域情報検索処理の第３の例によっても、地域の情報を積極的にアピールできるため、本発明の実施の形態に係るＣＡＴＶ情報システムを地域の活性化に役立つメディアとすることができる。
【００３１】
図１９は、ＣＡＴＶ情報サーバ１における処理（その５）を説明する図である。
この処理（その５）は、ＣＡＴＶ情報サーバ１に登録された情報の送信、およびＣＡＴＶ情報サーバ１に登録された情報の登録解除を可能とする処理である。
まず、携帯電話２またはパーソナルコンピュータ３が、ＣＡＴＶ情報サーバ１に対して、「△△ＣＡＴＶ局／登録情報検索ページ」の送信を要求する（Ｓ１４−１）。
つぎに、「△△ＣＡＴＶ局／登録情報ページ」の送信を要求されたＣＡＴＶ情報サーバ１が、登録情報読出処理を実行する（Ｓ１４−２）。
つぎに、登録情報読出処理を実行したＣＡＴＶ情報サーバ１が、「△△ＣＡＴＶ局／登録情報ページ」を、携帯電話２またはパーソナルコンピュータ３に対して送信する（Ｓ１４−３）。
つぎに、「△△ＣＡＴＶ局／登録情報ページ」を受信した携帯電話２またはパーソナルコンピュータ３が、受信した「△△ＣＡＴＶ局／登録情報ページ」を出力２−５または出力装置３−５に表示する（Ｓ１４−４）。
つぎに、携帯電話２またはパーソナルコンピュータ３が、「△△ＣＡＴＶ局／登録解除ページ」を、ＣＡＴＶ情報サーバ１に対して要求する（Ｓ１４−５）。
つぎに、ＣＡＴＶ情報サーバ１が、記憶装置１−６に記憶されている「△△ＣＡＴＶ局／登録情報ページ」を、携帯電話２またはパーソナルコンピュータに送信する（Ｓ１４−６）。
つぎに、「△△ＣＡＴＶ局／登録解除ページ」を受信した携帯電話２またはパーソナルコンピュータ３が、受信した「△△ＣＡＴＶ局／登録解除ページ」を出力２−５または出力装置３−５に表示する（Ｓ１４−７）。
つぎに、携帯電話２またはパーソナルコンピュータ３が、「△△ＣＡＴＶ局／登録解除ページ」上に表示された登録情報を、入力装置２−４または入力装置３−４を介して選択される（Ｓ１４−８）。
つぎに、携帯電話２またはパーソナルコンピュータ３が、選択された登録情報を識別する解除情報識別データを、ＣＡＴＶ情報サーバ１に送信する（Ｓ１４−９）。
つぎに、携帯電話２またはパーソナルコンピュータ３から解除情報識別データを受信したＣＡＴＶ情報サーバ１が、登録解除処理を実行する（Ｓ１４−１０）。
つぎに、ＣＡＴＶ情報サーバ１が、登録情報読出処理を実行する（Ｓ１４−１１）。
つぎに、ＣＡＴＶ情報サーバ１が、「／△△ＣＡＴＶ局／登録情報ページ」を、携帯電話２またはパーソナルコンピュータ３に送信する（Ｓ１４−１２）。
つぎに、ＣＡＴＶ情報サーバ１が、「／△△ＣＡＴＶ局／登録情報ページ」を出力装置２−５または出力装置３−５に表示する。
【００３２】
図２０は、ＣＡＴＶ情報サーバ１における登録情報処理の例を示す図である。
まず、ＣＡＴＶ情報サーバ１は、携帯電話２またはパーソナルコンピュータから受信したユーザ識別情報に基づいて「／△△ＣＡＴＶ局／端末／ユーザ００１／登録番組ＤＢ」、「／△△ＣＡＴＶ局／端末／ユーザ００１／登録加盟店情報ＤＢ」、および「／△△ＣＡＴＶ局／端末／ユーザ００１／登録地域情報ＤＢ」にアクセスし、これらのＤＢに登録されている情報を読み出す（Ｓ１５−１）。なお、ユーザ識別情報は、携帯電話２またはパーソナルコンピュータ３から、任意のタイミングで、ＣＡＴＶ情報サーバ１に送信される。つぎに、ＣＡＴＶ情報サーバ１は、読み出した情報を、「／△△ＣＡＴＶ局／登録情報ページ」に記述する（Ｓ１５−２）。
【００３３】
図２１は、ＣＡＴＶ情報サーバ１における登録情報解除処理の例を示す図である。
まず、ＣＡＴＶ情報サーバ１は、携帯電話２またはパーソナルコンピュータから受信したユーザ識別情報に基づいて「／△△ＣＡＴＶ局／端末／ユーザ００１／登録番組ＤＢ」、「／△△ＣＡＴＶ局／端末／ユーザ００１／登録加盟店情報ＤＢ」、および「／△△ＣＡＴＶ局／端末／ユーザ００１／登録地域情報ＤＢ」にアクセスする（Ｓ１６−１）。つぎに、ＣＡＴＶ情報サーバ１は、読み出した情報を、「／△△ＣＡＴＶ局／端末／ユーザ００１／登録番組ＤＢ」、「／△△ＣＡＴＶ局／端末／ユーザ００１／登録加盟店情報ＤＢ」、および「／△△ＣＡＴＶ局／端末／ユーザ００１／登録地域情報ＤＢ」から解除情報識別データが識別する情報を削除する（Ｓ１６−２）。
【００３４】
図２２は、ＣＡＴＶ情報サーバ１における処理（その５）を説明する図である。
この処理（その５）は、ユーザが、自己と契約しているＣＡＴＶ局によって提供されるＣＡＴＶ情報についての統計情報を取得できるようにする処理である。
まず、携帯電話２またはパーソナルコンピュータ３が、ＣＡＴＶ情報サーバ１に対して、「／△△ＣＡＴＶ局／統計情報ページ」の送信を要求する（Ｓ１７−１）。
つぎに、携帯電話２またはパーソナルコンピュータ３から「／△△ＣＡＴＶ局／統計情報ページ」の送信を要求されたＣＡＴＶ情報サーバ１が、統計情報算出処理を実行する（Ｓ１７−２）。
つぎに、ＣＡＴＶ情報サーバ１が、「／△△ＣＡＴＶ局／統計情報ページ」を携帯電話２またはパーソナルコンピュータ３に対して送信する（Ｓ１７−３）。
そして、携帯電話２またはパーソナルコンピュータ３が、「／△△ＣＡＴＶ局／統計情報ページ」を出力装置２−５または出力装置３−６に表示する（Ｓ１７−４）。
【００３５】
図２３は、統計情報算出処理の第１の例を説明する図である。
まず、ＣＡＴＶ情報サーバ１は、送信を要求された「／△△ＣＡＴＶ局／統計情報ページ」を記憶装置１−６から読み込み、この読み込んだ「／△△ＣＡＴＶ局／統計情報ページ」に記述されている属性ファイルのパス名に基づいて、属性ファイルを読み込む（Ｓ１８−１）。
つぎに、ＣＡＴＶ情報サーバ１は、属性ファイルに記述されているＣＡＴＶ局識別情報キーとして、「／番組用ＤＢ／統計情報ＤＢ」を検索する（Ｓ１８−２）。
つぎに、ＣＡＴＶ情報サーバ１は、ヒットした情報を統計処理し、その結果を「／△△ＣＡＴＶ局／統計情報ページ」に記述する（Ｓ１８−３）。
この統計情報算出処理の第１の例によれば、ＣＡＴＶ情報サーバ１が、属性ファイルによって、アクセスしてきたユーザが契約しているＣＡＴＶ局を特定できるようになる。したがって、この統計情報算出処理の第１の例によれば、ＣＡＴＶ情報サーバ１にアクセスしてきたユーザに対して、このユーザと契約を結んでいないＣＡＴＶ局が提供するＣＡＴＶ情報についての統計情報が送信されない。よって、この統計情報算出処理の第１の例よれば、ユーザが自己と契約を結んでいないＣＡＴＶ局によって提供されるＣＡＴＶ情報に基づく統計情報に煩わされるという事態を、減少させることができる。この統計情報算出処理の第１の例は、地域によって必要とされる情報が異なる場合に、特に有用である。
【００３６】
図２４は、統計情報算出処理の第２の例を説明する図である。
まず、ＣＡＴＶ情報サーバ１は、送信を要求された「／△△ＣＡＴＶ局／統計情報ページ」に記述されているＣＡＴＶ局識別情報キーとして、「／番組用ＤＢ／統計情報ＤＢ」を検索する（Ｓ１９−１）。
つぎに、ＣＡＴＶ情報サーバ１は、ヒットした情報を統計処理し、その結果を「／△△ＣＡＴＶ局／統計情報ページ」に記述する（Ｓ１９−２）。
この統計情報算出処理の第２の例によっても、ＣＡＴＶ情報サーバ１が、属性ファイルによって、アクセスしてきたユーザが契約しているＣＡＴＶ局を特定できるようになる。したがって、この統計情報算出処理の第２の例によっても、ＣＡＴＶ情報サーバ１にアクセスしてきたユーザに対して、このユーザと契約を結んでいないＣＡＴＶ局が提供するＣＡＴＶ情報についての統計情報が送信されない。よって、この統計情報算出処理の第２の例によっても、ユーザが自己と契約を結んでいないＣＡＴＶ局によって提供されるＣＡＴＶ情報に基づく統計情報に煩わされるという事態を、減少させることができる。この統計情報算出処理の第２の例も、地域によって必要とされる情報が異なる場合に、特に有用である。
【００３７】
図２５は、統計情報算出処理の第３の例を説明する図である。
まず、ＣＡＴＶ情報サーバ１は、携帯電話２またはパーソナルコンピュータ３に記憶されているＣＡＴＶ局識別情報をキーとして、「／番組用ＤＢ／統計情報ＤＢ」を検索する（Ｓ２０−１）。なお、携帯電話２またはパーソナルコンピュータ３に記憶されているＣＡＴＶ局識別情報は、任意のタイミングで、携帯電話２またはパーソナルコンピュータ３からＣＡＴＶ情報サーバ１に対して送信される。
つぎに、ＣＡＴＶ情報サーバ１は、ヒットした情報を統計処理し、その結果を「／△△ＣＡＴＶ局／統計情報ページ」に記述する（Ｓ２０−２）。
つぎに、ＣＡＴＶ情報サーバ１は、ヒットした情報を統計処理し、その結果を「／△△ＣＡＴＶ局／統計情報ページ」に記述する（Ｓ１９−２）。
この統計情報算出処理の第３の例によっても、ＣＡＴＶ情報サーバ１が、属性ファイルによって、アクセスしてきたユーザが契約しているＣＡＴＶ局を特定できるようになる。したがって、この統計情報算出処理の第３の例によっても、ＣＡＴＶ情報サーバ１にアクセスしてきたユーザに対して、このユーザと契約を結んでいないＣＡＴＶ局が提供するＣＡＴＶ情報についての統計情報が送信されない。よって、この統計情報算出処理の第３の例によっても、ユーザが自己と契約を結んでいないＣＡＴＶ局によって提供されるＣＡＴＶ情報に基づく統計情報に煩わされるという事態を、減少させることができる。この統計情報算出処理の第３の例も、地域によって必要とされる情報が異なる場合に、特に有用である。
【００３８】
なお、本発明の実施の形態においては、「統計情報ＤＢ」のディレクトリシステム上の位置が「／番組用ＤＢ／統計情報ＤＢ」とされているため、「統計情報ＤＢ」を各ＣＡＴＶ局のディレクトリの下に置く場合よりも、統計処理や統計情報の送信にかかる処理時間を短縮させることができる。もっとも、本発明は、「統計情報ＤＢ」のディレクトリシステム上の位置を限定するものではないため、「統計情報ＤＢ」は、「／」以下のどの位置にでも配置することができる。
【００３９】
なお、携帯電話２またはパーソナルコンピュータ３からＣＡＴＶ情報サーバ１に登録されたＣＡＴＶ情報は、ユーザのメールアドレスとともに、「／通知用ＤＢ」に記憶される。本発明の実施の形態においては、ＣＡＴＶ情報サーバ１が、「／通知用ＤＢ」に記憶されるＣＡＴＶ情報がそれぞれ有する固有の時期に、それぞれのＣＡＴＶ情報の全部または一部を携帯電話２またはパーソナルコンピュータ３に送信する処理を行うようにすることもできる。
【産業上の利用可能性】
【００４０】
本発明は、ＣＡＴＶ局やユーザに資するものである。したがって、本発明によれば、ＣＡＴＶの普及を促進することができる。
【図面の簡単な説明】
【００４１】
【図１】本発明の実施の形態に係るＣＡＴＶ情報システムを示す図である。
【図２】ＣＡＴＶ情報サーバ１の構成を示す図である。
【図３】携帯電話２の構成を示す図である。
【図４】パーソナルコンピュータ３の構成を示す図である。
【図５】ＣＡＴＶ情報サーバ１の記憶装置１−６におけるディレクトリシスである。
【図６】ＣＡＴＶ情報サーバ１における処理（その１）を説明する図である。
【図７】ＣＡＴＶ情報サーバ１における処理（その２）を説明する図である。
【図８】番組情報検索処理の第１の例を説明する図である。
【図９】番組情報検索処理の第２の例を説明する図である。
【図１０】番組情報検索処理の第３の例を説明する図である。
【図１１】ＣＡＴＶ情報サーバ１における処理（その３）を説明する図である。
【図１２】加盟店情報検索処理の第１の例を説明する図である。
【図１３】加盟店情報検索処理の第２の例を説明する図である。
【図１４】加盟店情報検索処理の第３の例を説明する図である。
【図１５】ＣＡＴＶ情報サーバ１における処理（その４）を説明する図である。
【図１６】地域情報検索処理の第１の例を説明する図である。
【図１７】地域情報検索処理の第２の例を説明する図である。
【図１８】地域情報検索処理の第３の例を説明する図である。
【図１９】ＣＡＴＶ情報サーバ１における処理（その５）を説明する図である。
【図２０】ＣＡＴＶ情報サーバ１における登録情報処理の例を示す図である。
【図２１】ＣＡＴＶ情報サーバ１における登録情報解除処理の例を示す図である。
【図２２】ＣＡＴＶ情報サーバ１における処理（その５）を説明する図である。
【図２３】統計情報算出処理の第１の例を説明する図である。
【図２４】統計情報算出処理の第２の例を説明する図である。
【図２５】統計情報算出処理の第３の例を説明する図である。
【符号の説明】
【００４２】
１    ＣＡＴＶ情報サーバ
１−１    ＣＰＵ
１−２    ＲＡＭ
１−３    ＲＯＭ
１−４    入力装置
１−５    出力装置
１−６    記憶装置
１−７    ネットワークインタフェース
２    携帯電話
２−１    ＣＰＵ
２−２    ＲＡＭ
２−３    ＲＯＭ
２−４    入力装置
２−５    出力装置
２−６    送信装置
２−７    受信装置
３    パーソナルコンピュータ
３−１    ＣＰＵ
３−２    ＲＡＭ
３−３    ＲＯＭ
３−４    入力装置
３−５    出力装置
３−６    記憶装置
３−７    ネットワークインタフェース
４    基地局
５    ネットワーク
【図１】
2006074378.tif 000003
【図２】
2006074378.tif 000004
【図３】
2006074378.tif 000005
【図４】
2006074378.tif 000006
【図５】
2006074378.tif 000007
【図６】
2006074378.tif 000008
【図７】
2006074378.tif 000009
【図８】
2006074378.tif 000010
【図９】
2006074378.tif 000011
【図１０】
2006074378.tif 000012
【図１１】
2006074378.tif 000013
【図１２】
2006074378.tif 000014
【図１３】
2006074378.tif 000015
【図１４】
2006074378.tif 000016
【図１５】
2006074378.tif 000017
【図１６】
2006074378.tif 000018
【図１７】
2006074378.tif 000019
【図１８】
2006074378.tif 000020
【図１９】
2006074378.tif 000021
【図２０】
2006074378.tif 000022
【図２１】
2006074378.tif 000023
【図２２】
2006074378.tif 000024
【図２３】
2006074378.tif 000025
【図２４】
2006074378.tif 000026
【図２５】
2006074378.tif 000027